(57)【要約】【課題】  津波の発生時に海岸近くの住民が迅速に避難することが可能であるとともに、高齢者や子供等であっても容易に迅速な避難が可能であり、しかも高所にいる避難者に対して食料等の必要物資を供給することができ、緊急時には更に別の安全な場所へと避難することが可能な高架式津波避難所を提供すること。【解決手段】  地中に打ち込まれた支柱と、該支柱により地上の所定高さに支持された避難台と、地表面と前記避難台との行き来を可能とする昇降手段とからなる津波避難所であって、前記昇降手段が階段及びゴンドラからなる高架式津波避難所とする。【選択図】  図１
2006112087.tif 000002
【特許請求の範囲】
【請求項１】
地中に打ち込まれた支柱と、該支柱により地上の所定高さに支持された避難台と、地表面と前記避難台との行き来を可能とする昇降手段とからなる津波避難所であって、前記昇降手段が階段及びゴンドラからなることを特徴とする高架式津波避難所。
【請求項２】
前記避難台の上方に前記支柱により支持された屋根が設けられてなることを特徴とする請求項１記載の高架式津波避難所。
【請求項３】
前記避難台から屋根の上面へと移動するための階段が設けられるとともに、該屋根の上面にはヘリポートが設けられてなることを特徴とする請求項２記載の高架式津波避難所。
【請求項４】
前記避難台に、高圧空気力又は火薬爆発力により浮き付きのロープを噴射する噴射機が設けられてなることを特徴とする請求項１乃至３いずれかに記載の高架式津波避難所。
【請求項５】
前記避難台に、津波の進行方向と直角な方向の堰板を立設する堰板立設装置が設けられてなることを特徴とする請求項１乃至４いずれかに記載の高架式津波避難所。
【請求項６】
前記避難台の周囲に布又は板を張り巡らせる風防装置が設けられてなることを特徴とする請求項１乃至５いずれかに記載の高架式津波避難所。
【発明の詳細な説明】
【技術分野】
【０００１】
本発明は津波の発生時に避難するための津波避難所に関し、より詳しくは高架上に設けられた避難台と地表面を繋ぐ複数の昇降手段を有し、老人や子供等であっても迅速な避難が可能である高架式津波避難所に関する。
【背景技術】
【０００２】
我が国は世界でも有数の地震国であり、毎年のように地震によって尊い生命を失う被害者が発生しているのが現実である。
地震による被害者の中には、建物の倒壊など地震そのものに起因して生命をおとす被害者も多いが、北海道の奥尻島沖地震の例に見られるように、地震により発生した津波にのまれて生命を失う被害者が多いことも事実である。
【０００３】
現在、津波が発生したときには、自治体が予め指定した高台にある学校や公民館等の避難施設へと避難するのが一般的である。
しかしながら、津波の進行速度は非常に早いため、避難施設が海岸から遠く離れている場合には、海岸近くの住民の避難が間に合わないおそれがあるという大きな問題がある。ところが、それにも拘らず、我が国においては、海岸近くに津波専用の避難所は存在していないのが実情である。
【０００４】
このような実情に鑑みて、海岸近くに設置される津波避難のための設備が、下記特許文献１において開示されている。
この特許文献１の開示技術は、金属製の柱材を地中に打ち込んで橋脚状に構成された土台部分と、橋脚状の土台部分の上に金属パネルにより構成された高床の屋内部分を具備する高床式金属建造物であり、津波発生時において海岸近くの住民の迅速な避難を可能とする点では確かに優れている。
【０００５】
しかしながら、この開示技術の建造物は、避難者が津波によってさらわれることがないように、屋内部分が地表面からかなり高い位置に設けられているにも拘らず、地表面から高床の屋内部分へと上るための手段が階段に限られているため、迅速な避難が困難であり、避難中に津波にまきこまれてしまう危険性が高いという問題があった。
特に、高齢者、女性、子供など足腰が弱い者の場合には、長い階段を上って高い位置にある屋内部分へと避難するのは非常に大変であり、避難中に津波にまきこまれてしまう危険性が大きかった。また、潮位が上昇して階段が浸水することによって、階段を上って避難することが困難となる可能性もあった。
さらに、避難が完了した後においても、高所にいる避難者に食料等の必要物資を供給することも難しい上に、津波がおさまるまで避難所から出ることもできないため、避難者は長時間にわたって不安を感じて過ごさなければならず、また想定した高さよりも高い津波が来ることによって避難したにも拘らず危険に晒される場合もあった。
【０００６】
【特許文献１】特開平９−１８４３２３号公報
【発明の開示】
【発明が解決しようとする課題】
【０００７】
本発明は上記した従来技術の問題点を解決すべくなされたものであって、津波の発生時に海岸近くの住民が迅速に避難することが可能であるとともに、高齢者や子供等であっても容易に迅速な避難が可能であり、しかも高所にいる避難者に対して食料等の必要物資を供給することができ、緊急時には更に別の安全な場所へと避難することが可能な高架式津波避難所を提供するものである。
【課題を解決するための手段】
【０００８】
請求項１に係る発明は、地中に打ち込まれた支柱と、該支柱により地上の所定高さに支持された避難台と、地表面と前記避難台との行き来を可能とする昇降手段とからなる津波避難所であって、前記昇降手段が階段及びゴンドラからなることを特徴とする高架式津波避難所に関する。
【０００９】
請求項２に係る発明は、前記避難台の上方に前記支柱により支持された屋根が設けられてなることを特徴とする請求項１記載の高架式津波避難所に関する。
請求項３に係る発明は、前記避難台から屋根の上面へと移動するための階段が設けられるとともに、該屋根の上面にはヘリポートが設けられてなることを特徴とする請求項２記載の高架式津波避難所に関する。
【００１０】
請求項４に係る発明は、前記避難台に高圧空気力又は火薬爆発力により浮き付きのロープを噴射する噴射機が設けられてなることを特徴とする請求項１乃至３いずれかに記載の高架式津波避難所に関する。
請求項５に係る発明は、前記避難台に津波の進行方向と直角な方向の堰板を立設する堰板立設装置が設けられてなることを特徴とする請求項１乃至４いずれかに記載の高架式津波避難所に関する。
請求項６に係る発明は、前記避難台の周囲に布又は板を張り巡らせる風防装置が設けられてなることを特徴とする請求項１乃至５いずれかに記載の高架式津波避難所に関する。
【発明の効果】
【００１１】
請求項１に係る発明によれば、海岸近くに設置することによって、津波の発生時に海岸近くの住民が迅速に避難することが可能であるとともに、地表面と避難台との行き来を可能とする昇降手段が階段及びゴンドラからなるので、高所にある避難台への階段による迅速な避難が困難である高齢者や子供等であってもゴンドラによって避難台上へと容易且つ迅速に避難することが可能となる。また、身体が強健な男性等は、普通に階段を利用して避難台へと避難することができるので、多数の避難者を迅速に避難台上へと避難させることが可能となる。
また、潮位が上昇して階段が浸水することによって階段による避難が困難となっても、ゴンドラにより避難することができる。
さらに、ゴンドラを利用することにより、高所にいる避難者に食料等の必要物資を外部から簡単に供給することが可能となる。
【００１２】
請求項２に係る発明によれば、避難台の上方に支柱により支持された屋根が設けられているので、屋根によって風雨を遮ることができ、避難台上に避難した住民が風雨に晒されるのが防がれる。
請求項３に係る発明によれば、避難台から屋根の上面へと移動するための階段が設けられ、屋根の上面にはヘリポートが設けられているので、津波が非常に高い場合など避難台への避難にも拘らず危険が及ぶ可能性がある場合や、避難者の中に病人や怪我人が発生した場合には、ヘリコプターによって迅速に他の場所へと輸送して救出することができる。
【００１３】
請求項４に係る発明によれば、浮き付きのロープを遠方まで噴射することができるので、津波が来るまでに避難台に到達できず、海岸上又は海面上に孤立している人の近くまで浮き付きのロープを届かせて、浮きにつかまらせて救出することができる。
請求項５に係る発明によれば、避難台に津波の進行方向と直角な方向の堰板を立設することにより、津波が避難台上まで来襲した場合でも、避難者がさらわれたり濡れたりすることが防止できる。
請求項６に係る発明によれば、避難台の周囲に布又は板を張り巡らせることにより、避難台上に吹き付ける寒風から避難者を保護することができる。
【発明を実施するための最良の形態】
【００１４】
以下、本発明に係る高架式津波避難所の好適な実施形態について、図面を参照しつつ説明する。
図１は本発明に係る津波避難所の正面図、図２は本発明に係る津波避難所の側面図、図３は本発明に係る津波避難所の平面図、図４は図１のＡ―Ａ線矢視図である。
本発明に係る津波避難所は、地中に打ち込まれた支柱（１）と、該支柱（１）により地上の所定高さに支持された避難台（２）と、該避難台（２）の上方に設けられた屋根（３）と、地表面（Ｇ）と前記避難台（２）との行き来を可能とする昇降手段とから構成されている。
【００１５】
支柱（１）は、避難台（２）及び屋根（３）を地上の所定高さ位置に固定支持するためのものであって、図示例では避難台（２）及び屋根（３）が４本の支柱（１）によって支持されている。尚、支柱（１）の本数は特に限定されず、避難台（２）及び屋根（３）の面積及び重量に応じて増やすことも可能である。
この支柱（１）は、鋼管杭などの地中に打ち込まれる杭から構成され、地中の岩盤等の安定層（Ａ）に達する深さまで打ち込まれている。これによって、不安定な地盤上であっても安定して立設され、地震等によっても容易に倒壊することがない。
【００１６】
避難台（２）は、津波の発生により逃げてきた近隣住民等が上って避難するための台であって、支柱（１）の上方の所定高さ位置に固定されている。
避難台（２）が固定される高さは、津波によって浸水することがない高さであればよく特に限定されないが、例えば地表面から１０ｍ程度の高さとすることができる。
【００１７】
避難台（２）は、Ｈ型鋼やチャンネル鋼等の複数本の鋼材を縦横に組み合わせて形成された骨組み（２１）の上部に、鉄板や鋼板等のプレート（２２）を溶接等の任意の固定手段により固定することにより構成されており、多人数の避難者が一度に上れる広さ（例えば縦１０ｍ×横１５ｍ程度）を有する平らな上面を有している。
そして、避難台（２）の外周部には、避難者が誤って落下する危険性を無くすために、手摺（２３）が全周に亘って設けられている。
避難台（２）の上面には、図４に示しているように、後述するゴンドラに動力を供給するための発電機（４）と、避難者が飲食するための水及び食料を貯蔵した貯蔵タンク（５）が設けられている。また、避難台（２）の上面には、更にテント、毛布、カーテン、懐中電灯、医薬品等の避難用品を収容した避難用品貯蔵タンクや、トイレ、簡易キッチン、救命ボート等を設けることができる。
【００１８】
屋根（３）は、避難台（２）上に避難した避難者が風雨や日差しに晒されるのを防ぐ為に設けられており、避難台（２）よりも上方位置に、避難台から所定距離をあけて設けられている。
屋根（３）の大きさは、縦横の長さ共に避難台（２）よりも大きくされており（例えば縦１１ｍ×横１６ｍ程度）、これによって避難台（２）上に避難した避難者が風雨や日差しに晒されるのを効果的に防ぐことができる。
避難台（２）と屋根（３）との距離（垂直距離）は、避難台上の避難者の身長よりも高ければよく特に限定されるものではないが、高すぎると風雨を遮る効果に劣るようになるため、約２〜３ｍ程度とすることが好ましい。
【００１９】
避難台（２）と屋根（３）との間には、避難台（２）から屋根（３）の上面へと移動するための階段（６）が設けられており、屋根（３）の上面には、開閉可能な階段（６）への出入口（３２）と、ヘリコプターが離着陸可能なヘリポート（７）が設けられている。
これにより、避難台（２）上にいる避難者は、階段（６）を通って出入口（３２）から屋根（３）上面のヘリポート（７）へと移動することができる。従って、津波が想定された以上に高い場合など避難台（２）への避難にも拘らず避難者に危険が及ぶ可能性がある場合や、避難者の中に病人や怪我人が発生した場合には、ヘリコプターによって救出することができる。
また、屋根（３）の外周部には、避難者が誤って落下する危険性を無くすために、手摺（３１）が全周に亘って設けられている。
【００２０】
本発明に係る津波避難所では、地表面（Ｇ）と避難台（２）との行き来を可能とする昇降手段として、階段（８）及びゴンドラ（９）の２種類の異なる昇降手段が設けられている。
階段（８）は、左右の支柱（１）に夫々沿うように２つ設けられており、二方向から同時に避難台（２）へと上って避難することができるようになっている。
ゴンドラ（９）は、屋根（３）の一方側に取り付けられた支持枠（１０）からロープによって吊り下げられており、発電機（４）から供給される電力を動力源として昇降するように構成されている。
具体的には、ゴンドラ（９）又は支持枠（１０）に装着されたウインチを駆動することにより、ロープを巻き取り又は巻き戻すことでゴンドラ（９）を昇降させることができるようになっている。尚、ウインチの駆動スイッチは、ゴンドラ（９）内に設けることが好ましい。
【００２１】
ゴンドラ（９）は、最低位置において図１に実線で示すように地表面（Ｇ）上にあり、最高位置において図１に仮想線で示すように避難台（２）と同高さとなる。これにより、避難者はゴンドラ（９）に乗って地表面（Ｇ）から避難台（２）へと迅速に避難することができる。
また、食料や水、医薬品等の救援物資をゴンドラ（９）に載せて避難台（２）上にいる避難者に届けることも可能となる。
【００２２】
昇降手段として、階段（８）のみしか設けられていない場合には、身体が虚弱な高齢者、子供、病人等は、長い階段（８）を上って１０ｍ程度の高所にある避難台（２）へと迅速に避難することが困難であるため、避難の途中に津波にさらわれてしまう危険性がある。
一方、昇降手段として、ゴンドラ（９）のみしか設けられていない場合には、ゴンドラ（９）で一度に運べる人数には限りがあり、しかも上昇と下降を繰り返すゴンドラは時間のロスが大きいため、多数の人が同時に避難所におしかけた場合には、ゴンドラでの避難が間に合わずに津波にさらわれてしまう危険性がある。
【００２３】
本発明では、階段（８）とゴンドラ（９）が設けられていることによって、階段（８）での避難が困難な高齢者等はゴンドラ（９）を利用して迅速に避難台（２）へと避難することができ、身体が強健な男性等は、普通に階段（８）を利用して避難台（２）へと避難することができるので、多数の避難者を迅速に避難させることが可能となる。
また、階段（８）が浸水して階段による避難が困難となった場合でも、ゴンドラ（９）は水に浮かぶことができるので、ゴンドラ（９）による避難が可能である。
【００２４】
本発明においては、ゴンドラ（９）の最高位置が、屋根（３）と同じか僅かに低い位置となるようにすることもできる。この場合、避難者は、地表面（Ｇ）から直接屋根（３）の上のへリポート（７）に上ることができ、緊急性を要する場合には、迅速にヘリコプターによって安全な場所へと避難することが可能となる。また、避難台（２）からゴンドラ（９）に乗ってヘリポート（７）に上ることもできるようになる。
尚、ゴンドラ（９）は、図示例では１つのみ設けられているが、２つ以上設けることも可能であり、２つ以上設けた場合、一度に多くの人を避難台（２）へと運ぶことができるようになるため好ましい。
【００２５】
本発明に係る津波避難所は、避難台（２）が高い位置に固定された状態にあるので、高い津波が押し寄せてくる海岸近くに設置すると特に有効である。
【００２６】
更に、本発明に係る津波避難所においては、避難台（２）上に、高圧空気力又は火薬爆発力により浮き付きのロープを噴射する噴射機（図示略）を設けることができる。
噴射機は、浮き輪や発泡スチロール等の浮きにロープを結び付け、これを大砲のような筒状体を介して高圧空気力又は火薬爆発力により噴射する構成のものである。
このような噴射機を設けることにより、浮き付きのロープを遠方まで噴射することができるので、津波が来るまでに避難台に到達できず、海岸上又は海面上に孤立している人の近くまで浮き付きのロープを届かせて、浮きにつかまらせて救出することができる。
【００２７】
また、避難台（２）に、津波の進行方向と直角な方向の堰板を立設する堰板立設装置（図示略）を設けることもできる。
堰板立設装置は、避難台（２）の外縁に沿って堰板を自動的に立設する装置である。
具体的構成は特に限定されないが、例えば、避難台（２）の外縁面に上下方向のレールを等間隔で複数本設け、このレールの上端部が避難台から一定高さまで達するようにしておき、左右側面にローラを取り付けた堰板を２本のレール間に配置してレールに沿って上下動可能としておく構成等が採用できる。尚、この場合、レールの下端部同士は水平方向のストッパで連結し、堰板がレールを外れて落下しないようにしておく。
この場合、電動モータによりローラを回転させるか、油圧、水圧又は空気圧シリンダにより堰板を押し上げることにより、堰板はレールに沿って上昇し、避難台（２）の外縁に沿って立設する壁が形成される。
このような堰板立設装置を設けることにより、津波が避難台上まで来襲した場合でも、避難者がさらわれたり濡れたりすることが防止できる。
【００２８】
更に、避難台（２）の周囲に布又は板を張り巡らせる風防装置（図示略）を設けることもできる。
風防装置の具体的構成は特に限定されないが、例えば、手摺（２３）の上下方向に沿って若しくは水平方向に沿って２本のレールを平行に取り付け、布又は複数枚の板をこのレールに沿って移動できるようにすることができる。尚、手摺とは別にレールを設けても良い。
布を設ける場合、布の上下辺（レールが水平方向の場合）又は左右辺（レールが上下方向の場合）の縁に沿ってレールの溝と係合しながら転動するローラを取り付け、このローラがレールの溝に沿って動くようにすると、ちょうどカーテンレールに沿ってカーテンが閉まるように、布を手摺（２３）に沿って避難台の周囲に張り巡らせることができる。
板を設ける場合には、レールに複数本の溝を平行に設けて、板の上下辺又は左右辺の縁に沿ってレールの溝と係合しながら転動するローラを取り付け、このローラがレールの溝に沿って動くようにすると、ちょうど雨戸が閉まるように、複数枚の板を手摺（２３）に沿って避難台の周囲に張り巡らせることができる。
いずれの場合も、ローラを電動モータ等で駆動させるようにすると自動的な開閉が可能となる。
このような風防装置を設けることにより、避難台の周囲に布又は板を張り巡らせて、避難台上に吹き付ける寒風から避難者を保護することができる。
【産業上の利用可能性】
【００２９】
本発明は、海岸近くに設置されることにより、津波が発生した時の避難所として用いられるものである。
【図面の簡単な説明】
【００３０】
【図１】本発明に係る津波避難所の正面図である。
【図２】本発明に係る津波避難所の側面図である。
【図３】本発明に係る津波避難所の平面図である。
【図４】図１のＡ―Ａ線矢視図である。
【符号の説明】
【００３１】
１      支柱
２      避難台
３      屋根
６      階段
７      ヘリポート
８      階段
９      ゴンドラ
Ｇ      地表面
【図１】
2006112087.tif 000003
【図２】
2006112087.tif 000004
【図３】
2006112087.tif 000005
【図４】
2006112087.tif 000006